(57)【特許請求の範囲】
【請求項１】
上面にフッ素樹脂コーティングが施された天板と、天板上に載置する五徳と、五徳に載置する被加熱物を加熱するバーナとを備えるガスコンロであって、天板に複数の五徳支持部材が固定され、五徳がフッ素樹脂コーティングに非接触の状態でこれら五徳支持部材に着座するものにおいて、
各五徳支持部材は、金属製であって、天板上面に位置し五徳が着座する頭部と、天板に形成した透孔に挿通される軸部とを有し、軸部の下端に、天板下面に面接触する金属製の裏板が結合されるようにし、
前記裏板に前記軸部が一体に立設され、前記軸部を前記透孔に下方から挿通した状態で軸部の上部をかしめることにより前記頭部が形成されることを特徴とするガスコンロ。
【請求項２】
上面にフッ素樹脂コーティングが施された天板と、天板上に載置する五徳と、五徳に載置する被加熱物を加熱するバーナとを備えるガスコンロであって、天板に複数の五徳支持部材が固定され、五徳がフッ素樹脂コーティングに非接触の状態でこれら五徳支持部材に着座するものにおいて、
各五徳支持部材は、金属製であって、天板上面に位置し五徳が着座する頭部と、天板に形成した透孔に挿通される軸部とを有し、軸部の下端に、天板下面に面接触する金属製の裏板が結合されるようにし、
前記裏板の面積は、前記頭部の面積より大きいことを特徴とするガスコンロ。
【請求項３】
上面にフッ素樹脂コーティングが施された天板と、天板上に載置する五徳と、五徳に載置する被加熱物を加熱するバーナとを備えるガスコンロであって、天板に複数の五徳支持部材が固定され、五徳がフッ素樹脂コーティングに非接触の状態でこれら五徳支持部材に着座するものにおいて、
各五徳支持部材は、金属製であって、天板上面に位置し五徳が着座する頭部と、天板に形成した透孔に挿通される軸部とを有し、軸部の下端に、天板下面に面接触する金属製の裏板が結合されるようにし、
前記裏板は、前記複数の五徳支持部材の軸部をつなぐ環状に形成されることを特徴とするガスコンロ。
【発明の詳細な説明】
【技術分野】
【０００１】
本発明は、上面にフッ素樹脂コーティングが施された天板と、天板上に載置する五徳と、五徳に載置する被加熱物を加熱するバーナとを備えるガスコンロに関する。
【背景技術】
【０００２】
従来、この種のガスコンロにおいて、天板に複数の五徳支持部材を固定し、五徳が天板上面のフッ素樹脂コーティングに非接触の状態でこれら五徳支持部材に着座するようにしたものが知られている（例えば、特許文献１参照）。これによれば、天板上面のフッ素樹脂コーティングが五徳で擦られて剥がれることを防止することができる。
【０００３】
尚、特許文献１記載のものでは、五徳支持部材から下方にのびる軸部を天板に形成した孔に螺入又は圧入して、五徳支持部材を天板に固定している。
【０００４】
ところで、コンロ使用中、五徳の温度はバーナの火炎からの熱を受けて上昇する。天板上面にフッ素樹脂コーティングを施さずに、五徳を天板上面に直接着座させるものでは、五徳から天板への熱伝導で五徳の温度上昇が抑制される。一方、上記従来例のものでは、天板上面のフッ素樹脂コーティングの上に五徳支持部材が設置されることになる。フッ素樹脂コーティングの熱伝導率は比較的低いため、五徳支持部材から天板への熱伝導が制限されて、五徳の温度が上昇しやくなる。そして、五徳が高温になると、五徳に付着する煮こぼれ汁等の汚れがこびり付きやすくなり、五徳の清掃性が悪化する。
【先行技術文献】
【特許文献】
【０００５】
【特許文献１】特開平７−２１７９１１号公報（段落００１２，００１３、図４、図５）
【発明の概要】
【発明が解決しようとする課題】
【０００６】
本発明は、以上の点に鑑み、天板上面のフッ素樹脂コーティングの剥がれを防止できるだけでなく、五徳の温度上昇も抑制できるようにしたガスコンロを提供することをその課題としている。
【課題を解決するための手段】
【０００７】
上記課題を解決するために、本発明は、上面にフッ素樹脂コーティングが施された天板と、天板上に配置する五徳と、五徳に載置する被加熱物を加熱するバーナとを備えるガスコンロであって、天板に複数の五徳支持部材が固定され、五徳がフッ素樹脂コーティングに非接触の状態でこれら五徳支持部材に着座するものにおいて、各五徳支持部材は、金属製であって、天板上面に位置し五徳が着座する頭部と、天板に形成した透孔に挿通される軸部とを有し、軸部の下端に、天板下面に面接触する金属製の裏板が結合されることを特徴とする。
【０００８】
本発明によれば、五徳が天板上面のフッ素樹脂コーティングに非接触の状態で五徳支持部材の頭部に着座するため、フッ素樹脂コーティングが五徳で擦られて剥がれることを防止することができる。また、フッ素樹脂コーティングが施されていない天板下面に裏板が面接触するため、五徳から天板への裏板を介しての熱伝導が効率良く行われると共に、裏板から空気中への放熱も行われ、五徳の温度上昇が抑制される。従って、五徳に付着する煮こぼれ汁等の汚れがこびり付きにくくなり、五徳の清掃性の悪化を回避できる。
【０００９】
尚、裏板を五徳支持部材とは別部品とし、五徳支持部材の軸部に裏板を螺着してもよいが、これでは、部品点数が増加してコストアップを招く。そのため、本発明においては、裏板に軸部を一体に立設し、軸部を天板の透孔に下方から挿通した状態で軸部の上部をかしめることにより頭部を形成することが望ましい。これによれば、裏板と五徳支持部材とが一体部品となり、部品点数を削減してコストダウンを図ることができる。
【００１０】
また、本発明において、裏板の面積は、頭部の面積より大きいことが望ましい。これによれば、裏板を介しての天板への熱伝導量及び空気中への放熱量を増加させて、五徳の温度上昇を効果的に抑制できる。尚、裏板の面積を大きくしても、裏板は外観に現れないため、体裁を損なうことはない。
【００１１】
また、裏板は、複数の五徳支持部材の軸部をつなぐ環状に形成されることが望ましい。これによれば、五徳の一部が局部的に強く加熱されても、強く加熱された五徳部分が着座する五徳支持部材から環状の裏板への熱伝導で熱分布が均一化され、この五徳部分が高温になることを抑制できる。
【図面の簡単な説明】
【００１２】
【図１】本発明の実施形態のガスコンロを示す斜視図。
【図２】実施形態のガスコンロの要部の拡大断面図。
【図３】実施形態のガスコンロで用いる五徳支持部材の一例を示す斜視図。
【図４】五徳支持部材の変形例を示す斜視図。
【図５】五徳支持部材の他の変形例を示す斜視図。
【発明を実施するための形態】
【００１３】
図１を参照して、本発明の実施形態のガスコンロは、コンロ本体１の上面を覆う鋼板製の天板２と、コンロ本体１に組み込んだグリル３と、天板２に開設した左右一対のバーナ用開口を通して天板２上に露出する左右一対のバーナ４，４と、天板２上にバーナ４，４を囲うようにして載置する左右一対の五徳５，５とを備えている。そして、各五徳５に載置する鍋等の被加熱物が各バーナ４で加熱されるようにしている。
【００１４】
バーナ４には、被加熱物に当接してその温度を検出する温度センサ６が付設されている。また、煮こぼれ汁がバーナ用開口からコンロ本体１内に落下することを防止するため、バーナ用開口を上方から覆うカバーリング７がバーナ４に外挿されている。
【００１５】
五徳５は、カバーリング７に外挿される環状の五徳枠５１と、この五徳枠５１に放射状に固定した複数の五徳爪５２とを備えている。各五徳爪５２の径方向外端部には下方に突出する脚部５３が設けられ、五徳５がこれら脚部５３において天板２上に着座するようにしている。また、五徳枠５１の半周離れた部分に固定される２つの五徳爪５２には、五徳枠５１の内周面より内方に突出する突部５４が設けられている。そして、カバーリング７の外周の半周離れた２箇所に、突部５４に対応する切欠き部７ａを形成し、この切欠き部７ａに突部５４を係合させることにより、五徳５が天板２上に回り止めされた状態で載置されるようにしている。
【００１６】
天板２の上面には、煮こぼれ汁等の汚れのこびり付きを防止するために、フッ素樹脂コーティングが施されている。ここで、五徳５の脚部５３が天板２上面に直接着座すると、フッ素樹脂コーティングが脚部５３で擦られて剥がれてしまうことがある。
【００１７】
そこで、天板２に、五徳５の複数の脚部５３に対応させて複数の五徳支持部材８を設けている。各五徳支持部材８は、熱伝導性の良いアルミ等の金属製であって、図２に示す如く、天板２上面に位置し五徳５の脚部５３が着座する頭部８１と、天板２に形成した透孔２ａに挿通される軸部８２とを有する。また、軸部８２の下端には、頭部８１よりも面積の大きなアルミ等の金属製の裏板８３が結合されており、天板２下面に裏板８３が面接触するようにしている。
【００１８】
これによれば、五徳５がフッ素樹脂コーティングに非接触の状態で各脚部５３において各五徳支持部材８の頭部８１に着座するため、フッ素樹脂コーティングが脚部５３で擦られて剥がれることを防止することができる。また、フッ素樹脂コーティングは熱伝導率が比較的低く、このコーティングに接する頭部８１から天板２への熱伝導はうまく行われないが、本実施形態ではフッ素樹脂コーティングが施されていない天板２下面に裏板８３が面接触するため、五徳５から天板２に裏板８３を介して効率良く熱伝導され、更には、裏板８３から空気中への放熱も行われる。そのため、五徳５の温度上昇が抑制されて、五徳５に付着する煮こぼれ汁等の汚れがこびり付きにくくなり、五徳５の清掃性の悪化を回避できる。
【００１９】
特に、本実施形態では、裏板８３の面積を頭部８１の面積より大きくしているため、裏板８３を介しての天板２への熱伝導量及び空気中への放熱量を増加させて、五徳５の温度上昇を効果的に抑制できる。尚、裏板８３の面積を大きくしても、裏板８３は外観に現れないため、体裁を損なうことはない。
【００２０】
ところで、裏板８３を五徳支持部材８とは別部品とし、五徳支持部材８の軸部８２に裏板８３を螺着してもよいが、これでは、部品点数が増加してコストアップを招く。そこで、本実施形態では、図３に示す如く、裏板８３に軸部８２を一体に立設している。そして、軸部８２を天板２の透孔２ａに下方から挿通した状態で軸部８２の上部をかしめることにより頭部８１を形成している。これによれば、裏板８３と五徳支持部材８とが一体部品となり、部品点数を削減してコストダウンを図ることができる。
【００２１】
また、上記実施形態では、裏板８３の下面が平坦になっているが、図４に示す如く、裏板８３の下面にフィン状の複数の突起８３ａを垂設してもよい。これによれば、裏板８３から空気中への放熱量を一層増加することができる。
【００２２】
また、図５に示す如く、裏板８３を複数の五徳支持部材８の軸部８２をつなぐ環状に形成してもよい。ここで、五徳５に被加熱物を偏心状態で載置すると、被加熱物の中心に近い側に位置する五徳爪５２が被加熱物の底面に沿って流れる燃焼ガスにより被加熱物の中心から遠い側に位置する五徳爪５２よりも強く加熱されてしまう。このように一部の五徳爪５２が局部的に強く加熱されても、裏板８３が環状に形成されていれば、強く加熱される五徳爪５２の脚部５３が着座する五徳支持部材８から裏板８３の周方向への熱伝導で熱分布が均一化され、この五徳爪５３が高温になることを抑制できる。更に、裏板８３を環状にすることで面積がより大きくなり、天板２への熱伝導量及び空気中への放熱量が増加する。従って、全ての五徳爪５２の温度上昇を効果的に抑制することができる。
【００２３】
以上、本発明の実施形態について図面を参照して説明したが、本発明はこれに限定されない。例えば、上記実施形態では、五徳５を各五徳爪５２の脚部５３において各五徳支持部材８の頭部８１に着座させているが、五徳を環状の五徳枠において複数の五徳支持部材の頭部に着座させるようにしてもよい。
【符号の説明】
【００２４】
２…天板、２ａ…透孔、４…バーナ、５…五徳、８…五徳支持部材、８１…頭部、８２…軸部、８３…裏板。
【図１】
0005504207.tif 000002
【図２】
0005504207.tif 000003
【図３】
0005504207.tif 000004
【図４】
0005504207.tif 000005
【図５】
0005504207.tif 000006